(57)【要約】【課題】  時計バンド２に弾性突起部などの付加機能を設けずに、時計ケースに対する時計バンドのガタつきを抑えることができる時計バンドの取付構造を提供する。【解決手段】  時計ケース１のバンド取付部４に、時計バンド２に設けられたばね棒６の両端側の連結ピン６ｂが挿入する取付孔８を対向させて設け、この取付孔８に軟質部材９をそれぞれ嵌着させると共に、この軟質部材９にばね棒６の連結ピン６ｂが圧入する挿入穴１０をそれぞれ設けた。従って、ばね棒６の連結ピン６ｂがバンド取付部４の取付孔８内に直接挿入せず、バンド取付部４の取付孔８に嵌着された軟質部材９の挿入穴１０に挿入するため、この軟質部材９の弾力によってばね棒６をバンド取付部４にガタつくことなく取り付けることができる。これにより、時計バンド２に弾性突起部などの付加機能を設けずに、時計ケース１に対する時計バンド２のガタつきを抑えることができる。【選択図】        図２
2007093218.tif 000002
【特許請求の範囲】
【請求項１】
バンド取付部が設けられた時計ケースと、この時計ケースのバンド取付部に取り付けられるばね棒が設けられた時計バンドとを有する時計バンドの取付構造において、
前記バンド取付部には前記ばね棒の両端部が挿入する取付孔が対向して設けられ、この取付孔には軟質部材がそれぞれ嵌着され、この軟質部材には前記ばね棒の両端部が圧入する挿入穴がそれぞれ設けられていることを特徴とする時計バンドの取付構造。
【請求項２】
前記バンド取付部の前記取付孔の内面には係止部が設けられ、前記軟質部材の外面には前記係止部に係止される係合部が設けられていることを特徴とする請求項１に記載の時計バンドの取付構造。
【請求項３】
前記ばね棒は、その両端部を前記軟質部材の前記挿入穴に圧入させたときに、前記時計バンドの先端部が前記時計ケースの外側面に当接して前記軟質部材を肉厚方向に弾性変形させ、これにより前記取付孔に対し偏心した状態で取り付けられていることを特徴とする請求項１または２に記載の時計バンドの取付構造。
【発明の詳細な説明】
【技術分野】
【０００１】
この発明は、腕時計に用いられる時計バンドの取付構造に関する。
【背景技術】
【０００２】
従来、腕時計においては、時計バンドを時計ケースに取り付ける場合、時計ケースの側面に一対の取付突起部からなるバンド取付部を設け、このバンド取付部の一対の取付突起部における対向面に取付孔を互いに対向させて設け、この取付孔に時計バンドの先端側に設けられたばね棒の両端部をそれぞれ挿入させることにより、時計バンドを時計ケースに取り付けるように構成されている。
【０００３】
このような時計バンドの取付構造では、ばね棒の両端部を時計ケースのバンド取付部における一対の取付突起部にそれぞれ設けられた取付孔に挿入させることにより、時計バンドをバンド取付部に取り付けているため、ばね棒の端部が取付孔内に遊びを持って挿入され、時計バンドが時計ケースに対しガタついてしまうという問題がある。
【０００４】
そこで、このような問題を解消するため、従来の時計バンドの取付構造においては、特許文献１に記載されているように、時計バンドを軟質の合成樹脂で形成し、この時計バンドの先端部に弾性突起部を形成し、この弾性突起部を時計ケースの外側面に弾接させることにより、時計ケースに対する時計バンドのガタつきを防ぐように構成したものがある。
【特許文献１】実開平６−１６８９４号
【発明の開示】
【発明が解決しようとする課題】
【０００５】
しかしながら、このような従来の時計バンドの取付構造では、時計バンドが軟質の合成樹脂製である場合には時計バンドに弾性突起部を簡単に設けることができるので、有効であるが、時計バンドが金属製である場合には、時計バンドに弾性突起部を設けることが難しく、製造コストが高くなるという問題がある。特に、時計バンドが軟質の合成樹脂製であっても、また金属製であっても、弾性突起部が時計バンドから突出するため、デザイン性および外観性が低下するという問題がある。
【０００６】
この発明が解決しようとする課題は、時計バンドに弾性突起部などの付加機能を設けずに、時計ケースに対する時計バンドのガタつきを抑えることができる時計バンドの取付構造を提供することである。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
【０００８】
請求項１に記載の発明は、図１〜図４に示すように、バンド取付部（２）が設けられた時計ケース（１）と、この時計ケースのバンド取付部に取り付けられるばね棒（６）が設けられた時計バンド（２）とを有する時計バンドの取付構造において、
前記バンド取付部に前記ばね棒の両端部が挿入する取付孔（８）が対向して設けられ、この取付孔に軟質部材（９）がそれぞれ嵌着され、この軟質部材に前記ばね棒の両端部（両側の連結ピン６ｂ）が圧入する挿入穴（１０）がそれぞれ設けられていることを特徴とする時計バンド取付構造である。
【０００９】
請求項２に記載の発明は、図１〜図４に示すように、前記バンド取付部（２）の前記取付孔（８）の内面に係止部（係止突起部８ａ）が設けられ、前記軟質部材（９）の外面に、前記係止部に係止される係合部（係合凹部９ａ）が設けられていることを特徴とする請求項１に記載の時計バンドの取付構造である。
【００１０】
請求項３に記載の発明は、図１〜図４に示すように、前記ばね棒（６）が、その両端部（両側の連結ピン６ｂ）を前記軟質部材（９）の前記挿入穴（１０）に圧入させたときに、前記時計バンド（２）の先端部が前記時計ケース（１）の外側面に当接して前記軟質部材を肉厚方向に弾性変形させ、これにより前記取付孔（８）に対し偏心した状態で取り付けられていることを特徴とする請求項１または２に記載の時計バンドの取付構造。
【発明の効果】
【００１１】
請求項１に記載の発明によれば、時計ケースのバンド取付部に、時計バンドに設けられたばね棒の両端部が挿入する取付孔を対向させて設け、この取付孔に軟質部材をそれぞれ嵌着させると共に、この軟質部材にばね棒の両端部が圧入する挿入穴をそれぞれ設けた構成であるから、ばね棒の両端部がバンド取付部の取付孔内に直接挿入せず、バンド取付部の取付孔に嵌着された軟質部材の挿入穴に圧入されるため、この軟質部材の弾力によってばね棒をバンド取付部にガタつくことなく取り付けることができる。このため、時計バンドに従来例のような弾性突起部などの付加機能を設けずに、時計バンドの先端部を時計ケースの外側面に弾接させることができ、これにより時計ケースに対する時計バンドのガタつきを抑えることができる。
【００１２】
請求項２に記載の発明によれば、バンド取付部の取付孔の内面に係止部が設けられ、軟質部材の外面に、係止部に係止される係合部が設けられていることにより、軟質部材をバンド取付部の取付孔に押し込むと、取付孔の内面に係止部に軟質部材の係合部が係止されるので、軟質部材をバンド取付部の取付孔に確実に固定することができる。このため、この状態で軟質部材の挿入穴に検査用治具の操作子を挿入させてバンド取付部の取付孔に対する軟質部材の取付強度を検査することができ、これにより安定した品質を確保することができる。
【００１３】
請求項３に記載の発明によれば、ばね棒が、その両端部を軟質部材の挿入穴に圧入させたときに、時計バンドの先端部が時計ケースの外側面に当接して軟質部材を肉厚方向に弾性変形させ、これにより取付孔に対し偏心した状態で取り付けられているので、軟質部材が取付孔から抜け出すときの弾性変形を押えることができ、これにより確実に且つ強固に軟質部材を取付孔内に固定することができるほか、特に時計バンドが金属などの硬質材料であっても、また合成樹脂などの軟質材料であっても、時計バンドの先端部を時計ケースの外側面に弾力的に当接させることができると共に、その当接力によって時計ケースに対する時計バンドのガタつきを確実に防ぎ、時計バンドを時計ケースに良好に取り付けることができる。
【発明を実施するための最良の形態】
【００１４】
以下、図１〜図４を参照して、この発明を適用した一実施形態について説明する。
図１はこの発明を適用した腕時計の正面図、図２はそのＡ−Ａ矢視における要部の拡大断面図である。
この腕時計は、図１に示すように、時計ケース１と時計バンド２とを備えている。時計ケース１は、その内部に時計モジュール（図示せず）を収納するものであり、図１に示すように、その上面には時計ガラス３が取り付けられている。
【００１５】
また、この時計ケース１の外周面における１２時側と６時側とに位置する箇所には、バンド取付部４がそれぞれ設けられていると共に、この時計ケース１の外周面における３時側付近に位置する箇所には、複数の押釦スイッチ５が設けられている。一方、時計バンド２は、図１および図２に示すように、その先端側にばね棒６が設けられ、このばね棒６によって時計ケース１のバンド取付部４に取り付けられるように構成されている。
【００１６】
すなわち、バンド取付部４は、図１および図２に示すように、時計ケース１の側面に設けられた一対の取付突起部７を有し、この一対の取付突起部７に取付孔８が同軸上に対向して設けられた構成になっている。また、時計バンド２のばね棒６は、図２に示すように、筒状の本体部６ａの内部にコイルばね（図示せず）が設けられ、このコイルばねによって連結ピン６ｂが本体部６ａの両端部から弾力的に押し出される方向に付勢されるように構成されている。
【００１７】
そして、このばね棒６は、図２に示すように、筒状の本体部６ａが時計バンド２の先端側にその幅方向に貫通して設けられた貫通孔２ａ内に配置され、この本体部６ａの両端部から弾力的に押し出された連結ピン６ｂの先端部がバンド取付部４の両側の取付孔８内にそれぞれ挿入するように構成されている。この場合、連結ピン６ｂの中間部分には、本体部６ａに対する連結ピン６ｂの出没位置を規制する一対のリング状の位置規制部６ｃが設けられている。
【００１８】
ところで、バンド取付部４の各取付孔８は、図２に示すように、その内径がばね棒６の外形よりも少し大きく形成されており、この取付孔８内には軟質部材９が嵌め込まれている。この軟質部材９は、ゴムやエラストマーなどの軟質の合成樹脂からなり、その形状がほぼキャップ状に形成されている。この軟質部材９の内部には、ばね棒６の連結ピン６ｂの先端部が圧入する挿入穴１０が形成されている。この場合、取付孔８の内面には、係止突起部８ａが形成されており、軟質部材９の外周面には取付孔８の係止突起部８ａに係止される係合凹部９ａが形成されている。
【００１９】
従って、この軟質部材９は、図３（ａ）に示すように、取付孔８内に外側（同図では右側）から圧入されると、弾性変形して、図３（ｂ）に示すように、軟質部材９の係合凹部９ａが取付孔８の係止突起部８ａに係合し、これにより取付孔８内に嵌着されるように構成されている。また、時計バンド２のばね棒６は、図３（ｃ）に示すように、その両側の連結ピン６ｂの先端部がバンド取付部４の両側の取付孔８内にそれぞれ嵌着された各軟質部材９の挿入穴１０にそれぞれ圧入されることにより、この軟質部材９を介してバンド取付部４の両側の取付孔８に取り付けられるように構成されている。
【００２０】
次に、図３（ａ）〜図３（ｃ）を参照して、この軟質部材９をバンド取付部４の取付孔８に嵌め込んでばね棒６を取り付ける場合について説明する。
まず、図３（ａ）に示すように、軟質部材９をバンド取付部４の取付孔８内に外側（同図では右側）から圧入する。このときに、軟質部材９が弾性変形して取付孔８内に挿入され、図３（ｂ）に示すように、軟質部材９の係合凹部９ａが取付孔８の係止突起部８ａに係止されて取付孔８内に嵌着される。
【００２１】
この状態で、取付孔８内に嵌着された軟質部材９の挿入穴１０に圧力計などの検査用治具１１の操作子１１ａを内側（同図では左側）から挿入して、取付孔８に対する軟質部材９の取付強度を検査する。そして、軟質部材９の取付強度が十分に確保されている場合には、図３（ｃ）に示すように、時計バンド２の先端側に取り付けられたばね棒６の連結ピン６ｂの先端部をバンド取付部４の両側の取付孔８内に嵌着された軟質部材９の挿入穴１０にバンド取付部４の内側（同図では左側）から圧入する。これにより、ばね棒６が軟質部材９を介してバンド取付部４の取付孔８に取り付けられる。
【００２２】
このようにして、時計バンド２が時計ケース１のバンド取付部４に取り付けられたときには、図２に示すように、時計バンド２の先端部が時計ケース１の外側面に当接するので、その当接力によってばね棒６の連結ピン６ｂの先端外周面が軟質部材９の肉厚部分を時計ケース１と反対側に向けて圧縮する。これにより、軟質部材９が肉厚方向に弾性変形して、連結ピン６ｂおよびばね棒６がバンド取付部４の取付孔８に対し偏心した状態で取り付けられる。
【００２３】
このときには、図２に示すように、軟質部材９が肉厚方向に弾性変形していることにより、軟質部材が取付孔から抜け出すときの弾性変形を押えることができ、これにより確実に且つ強固に軟質部材を取付孔内に固定することができるほか、特にばね棒６の本体部６ａが時計バンド２の貫通孔２ａ内における時計ケース側１の内面に押し付けられるので、ばね棒６が軟質部材９によってバンド取付部４の取付孔８にガタつくことなく取り付けられると共に、時計バンド２の貫通孔２ａ内にもガタつくことなく取り付けられる。これにより、時計バンド２が時計ケース１のバンド取付部４にガタつくことなく取り付けられる。
【００２４】
例えば、図４に示すように、バンド取付部４の取付孔１２に軟質部材９が嵌着されておらず、時計バンド２が金属製である場合には、ばね棒６の連結ピン６ｂがバンド取付部４の取付孔１２に直接挿入されるため、連結ピン６ｂが取付孔１２内に、公差による隙間を持って挿入されると共に、ばね棒６の本体部６ａも時計バンド２の貫通孔２ａ内に、公差による隙間を持って挿入される。このため、金属製の時計バンド２の先端部と時計ケース１の外側面との間に隙間Ｓが生じるので、時計ケース１のバンド取付部４に対して時計バンド２がガタついてしまうことになる。しかし、この実施形態では、図２に示したように、そのガタつきを防ぐことができる。
【００２５】
このように、この時計バンド２の取付構造によれば、時計ケース１のバンド取付部４に、時計バンド２の先端側に設けられたばね棒６の両側の連結ピン６ｂが挿入する取付孔８を対向させて設け、この取付孔８に軟質部材９をそれぞれ嵌着させると共に、この軟質部材９にばね棒６の連結ピン６ｂの先端部が圧入する挿入穴１０をそれぞれ設けた構成であるから、ばね棒６の両側の連結ピン６ｂがバンド取付部４の両側の取付孔８内に直接挿入せず、バンド取付部４の取付孔８に嵌着された軟質部材９の挿入穴１０に圧入されるため、この軟質部材９の弾力によってばね棒６をバンド取付部４にガタつくことなく取り付けることができる。このため、時計バンド２に従来例のような弾性突起部などの付加機能を設けずに、時計バンド２の先端部を時計ケース１の外側面に弾接させることができ、これにより時計ケース１に対する時計バンド２のガタつきを抑えることができる。
【００２６】
この場合、特にバンド取付部４の取付孔８の内面に係止突起部８ａが設けられ、軟質部材９の外面には係止突起部８ａに係止される係合凹部９ａが設けられていることにより、軟質部材９をバンド取付部４の取付孔８に押し込むと、取付孔８の内面の係止突起部８ａに軟質部材９の係合凹部９ａが係止されるので、軟質部材９をバンド取付部４の取付孔８に確実に固定することができる。このため、この状態で軟質部材９の挿入穴１０に圧力計などの検査用治具１１の操作子１１ａを挿入させてバンド取付部４の取付孔８に対する軟質部材９の取付強度を検査することができ、これにより安定した品質を確保することができる。
【００２７】
また、この時計バンド２の取付構造では、ばね棒６が、その両側の連結ピン６ｂを軟質部材９の挿入穴１０に圧入させたときに、時計バンド２の先端部が時計ケース１の外側面に当接して軟質部材９を肉厚方向に圧縮させて弾性変形させ、これにより取付孔８に対し偏心した状態で取り付けられているので、ばね棒６の連結ピン６ｂを軟質部材９の挿入穴１０にガタつくことなく挿入させて時計バンド２をバンド取付部４に取り付けることができる。
【００２８】
すなわち、ばね棒６の連結ピン６ｂを軟質部材９の挿入穴１０に圧入して時計バンド２の先端部が時計ケース１の外側面に当接すると、その当接力によってばね棒６の連結ピン６ｂが軟質部材９を肉厚方向に弾性変形させるので、軟質部材９が取付孔８から抜け出すときの弾性変形を押えることができ、これにより確実に且つ強固に軟質部材９を取付孔８内に固定することができると共に、ばね棒６の連結ピン６ｂを取付孔８に対して偏心させた状態で取り付けることができる。
【００２９】
このため、ばね棒６の本体部６ａが時計バンド２の貫通孔２ａ内における時計ケース１側の内面に押し付けられるので、ばね棒６および時計バンド２をガタつくことなく時計ケース１のバンド取付部４に取り付けることができる。これにより、時計バンド２が金属などの硬質材料であっても、また合成樹脂などの軟質材料であっても、時計バンド２の先端部を時計ケース１の外側面に弾力的に当接させることができると共に、その当接力によって時計ケース１に対する時計バンド２のガタつきを確実に防ぎ、時計バンド２を時計ケース１に対して良好に取り付けることができる。
【００３０】
なお、上記実施形態では、バンド取付部４の取付孔８の内面に係止突起部８ａを設け、軟質部材９の外周面には係止突起部８ａに係止される係合凹部９ａを設けた場合について述べたが、これに限らず、例えばバンド取付部４の取付孔８の内面に係合凹部を設け、軟質部材の外周面には係合凹部に係合する係止突起部を設けた構成でも良い。
【００３１】
また、上記実施形態では、時計ケース１のバンド取付部４が一対の取付突起部７からなる構造のものについて述べたが、これに限らず、両側部に取付部分が設けられた庇状に形成されたバンド取付部であっても良い。この場合にも、庇状に形成されたバンド取付部の両側の取付部分にばね棒６の両端部が挿入する取付孔８を同軸上に対向させて設け、この取付孔に軟質部材９をそれぞれ嵌着させるように構成すれば良い。
【図面の簡単な説明】
【００３２】
【図１】この発明を適用した腕時計を示した正面図である。
【図２】図１のＡ−Ａ矢視における要部の拡大断面図である。
【図３】図２のバンド取付部の取付孔に軟質部材を嵌め込んでばね棒を取り付ける過程を示し、（ａ）はバンド取付部の取付孔に軟質部材を嵌め込む状態を示した拡大断面図、（ｂ）はバンド取付部の取付孔に嵌め込まれた軟質部材の取付強度を検査する状態を示した拡大断面図、（ｃ）はバンド取付部の取付孔に嵌め込まれた軟質部材の挿入穴にばね棒の連結ピンを圧入させた状態を示した拡大断面図である。
【図４】図２の軟質部材を用いない構造でバンド取付部に対するばね棒と時計バンドとの取付状態を示した要部の拡大断面図である。
【符号の説明】
【００３３】
１  時計ケース
２  時計バンド
４  バンド取付部
６  ばね棒
６ａ  本体部
６ｂ  連結ピン
６ｃ  位置規制部
７  取付突起部
８  取付孔
８ａ  係止突起部
９  軟質部材
９ａ  係合凹部
１０  挿入穴
１１  検査用治具
【図１】
2007093218.tif 000003
【図２】
2007093218.tif 000004
【図３】
2007093218.tif 000005
【図４】
2007093218.tif 000006